【手続補正書】
【提出日】平成15年12月18日(2003.12.18)
【手続補正１】
【補正対象書類名】明細書
【補正対象項目名】００２２
【補正方法】変更
【補正の内容】
【００２２】
次に、本発明の自走式破砕機のカッタ交換用治具の一実施の形態を図面を用いて説明する。
図６は本発明の自走式破砕機のカッタ交換用治具の一実施の形態を取付けた状態を表す図、図７はこの図６中左側から見た図、図８は図６中VIII−VIII断面による断面図である。
これら図６〜図８において、３３は破砕装置１２のエンドブラケット２１側におけるホッパ１１の側壁面（図６中左側壁面）の取付部１１ａに支持具３４を介して着脱可能に取付けた懸架手段である。３５はエンドブラケット２１を破砕装置１２一方側（図６中左側）にスライド可能に支持するガイド部材としての複数（この例では４本）のガイドロッドで、このガイドロッド３５は、両端部にネジが切られている。３６はこのガイドロッド３５に摺動可能に支持された摺動部材としてのスライダで、このスライダ３６は、板状の基板３６ａと、この基板３６ａの４隅に設けた各ガイドロッド３５に係合する支持部３６ｂと、基板３６ａから破砕装置１２の両回転軸１５に向かって突設した２本の支持部３６ｃとで構成されている。３７はガイドロッド３５の一端（図６中左端）に取付けた固定ブロックである。３８はこの固定ブロック３７とホッパ１１上部とを連結する連結部材で、この連結部材３８としては、例えばターンバックル等を使用し、その両端が、ホッパ１１上部のブラケット１１ｂ及び固定ブロック３７上部のブラケット３７ａに対し、ピン３９，３９により連結されている。


【手続補正２】
【補正対象書類名】明細書
【補正対象項目名】００２３
【補正方法】変更
【補正の内容】
【００２３】
図９〜図１７の各図は、以上のカッタ交換用治具を用いたカッタ１６の取外し手順を表す図である。
図９に示した状態は、先の図４と同様の状態を表しており、カッタ１６の取外しの際には、まず、図９の状態でカバー１５ｂ及びカッタ押え１５ａを取り外し、図１０に示した状態とする。続いて、図１１に示すように、ホッパ１１の取付部１１ａに支持具３４を介して懸架手段３３を吊り下げる。このとき、エンドブラケット２１の４隅のうち、任意の１箇所のボルト２１ａ（図３参照）を取り外し、そのボルト２１ａを取り外した後のハウジング１３の図示しないボルト穴に、エンドブラケット２１を介してガイドロッド３５を螺合する。これを他の３箇所においても同様に行い、取付けられた４本のガイドロッド３５の一端（図１１中左端）にナット４０ａを取付けた上で固定ブロック３７を取付け、これを固定用のナット４０ｂで固定する。次に、この固定ブロック３７のブラケット３７ａと、ホッパ１１のブラケット１１ｂとを連結部材３８により連結し、固定ブロック３７を吊り下げ支持することにより全体的な支持強度を確保する。そして、図１２に示すように、エンドブラケット２１をガイドロッド３５に摺動させ、固定ブロック３７近傍に移動させた後、図１３に示すように、エンドブラケット２１よりも破砕装置１２側にスライダ３６をセットする。本発明のカッタ交換用治具の据え付けは、これで完了する。


【手続補正３】
【補正対象書類名】明細書
【補正対象項目名】００２４
【補正方法】変更
【補正の内容】
【００２４】
次に、図１４に示すように、上記支持部３６ｃが回転軸１５の一端に（図１４中左端）に当設（支持部３６ｃ先端には差込口が設けられており、回転軸１５先端の小径の部分がこの差込口に緩挿されるようになっている）するようスライダ３６を摺動させ、この状態で、図１５に示すように、回転軸１５からスライダ３６の支持部３６ｃに移動するようカッタ１６を引き出す。このとき、カッタ１６の側面（エンドブラケット２１側、図１５中左側側面）に設けたネジ穴（図示せず）に吊具４１（例えばいわゆるアイボルト等）を事前に取付けておく。続いて、スライダ３６を一方側（図１５中左側）に摺動させ、図１６に示すように、カッタ１６を懸架手段３３の下方に搬送し、懸架手段３３により吊具４１を介してカッタ１６を懸架する。そして、この懸架手段３３のチェーン３３ａを徐々に伸ばしてカッタ１６を、例えば地面や用意した台車等に吊り下ろす。その後、上記したクリーニングフィン２２を順次引き出し取り外しつつ、図１４〜図１７の手順を順次繰り返すことにより、スペーサ１７及びカッタ１６を順次吊り下ろしていく。また、新しいカッタ１６やスペーサ１７を組み入れるときは、以上の手順を順次逆に行っていけば良い。


【手続補正４】
【補正対象書類名】明細書
【補正対象項目名】００２５
【補正方法】変更
【補正の内容】
【００２５】
このとき、クリーニングフィン２２にも吊具４１を取付け、この吊具４１に懸架手段３３のチェーン３３ａを掛け、チェーン３３ａの張力を適宜調整しつつ、懸架手段３３により吊下ろすことにより、クリーニングフィン２２を安全に取り外すことができるようになっている。また、これはカッタ１６及びスペーサ１７においても同様で、仮にスライダ３６やこれを支持するガイドロッド３５を省略しても、懸架手段３３を用い、適宜チェーン３３ａの張力を調整しつつカッタ１６及びスペーサ１７を引き出し、また吊り下ろすことにより安全にカッタ１６及びスペーサ１７を取り外すことができるようになっている。また、カッタ１６やスペーサ１７、或いはクリーニングフィン２２を昇降させる懸架手段としては、例えばチェーンブロック等を用いても構わない。


【手続補正５】
【補正対象書類名】明細書
【補正対象項目名】００２８
【補正方法】変更
【補正の内容】
【００２８】
それに対し、本実施の形態においては、以上説明したように、ホッパ１１の一方側壁面に取付けられ、カッタ１６及びスペーサ１７を懸架する懸架手段３３を備える構成としたので、破砕装置１２一端のエンドブラケット２１を取外し、片持ち支持状態となった回転軸１５から、順次カッタ１６及びスペーサ１７を引き出し、重量物であるカッタ１６やスペーサ１７を懸架手段３３により吊り下げ支持しつつ着脱する。これにより、別途重機を必要とすることなく、容易かつ安全にカッタ交換を行うことができる。


【手続補正６】
【補正対象書類名】明細書
【補正対象項目名】図面の簡単な説明
【補正方法】変更
【補正の内容】
【図面の簡単な説明】
【図１】本発明の自走式破砕機のカッタ交換用治具の一実施の形態を適用する自走式破砕機の全体構造を表す側面図である。
【図２】本発明の自走式破砕機のカッタ交換用治具の一実施の形態を適用する自走式破砕機の全体構造を表す上面図である。
【図３】本発明の自走式破砕機のカッタ交換用治具の一実施の形態を適用する自走式破砕機の全体構造を表す図１中左側から見た前面図である。
【図４】本発明の自走式破砕機のカッタ交換用治具の一実施の形態を適用する自走式破砕機に備えられたホッパ及び破砕装置の詳細構造を表す断面図である。
【図５】本発明の自走式破砕機のカッタ交換用治具の一実施の形態を適用する自走式破砕機に備えられたホッパ及び破砕装置の詳細構造を表す図４中Ｖ−Ｖ断面による断面図である。
【図６】本発明の自走式破砕機のカッタ交換用治具の一実施の形態の全体構造を表す図である。
【図７】本発明の自走式破砕機のカッタ交換用治具の一実施の形態の全体構造を表す図６中左側から見た図である。
【図８】本発明の自走式破砕機のカッタ交換用治具の一実施の形態の全体構造を表す図６中VIII−VIII断面による断面図である。
【図９】本発明の自走式破砕機のカッタ交換用治具の一実施の形態を用いたカッタ取外し手順を表す図である。
【図１０】本発明の自走式破砕機のカッタ交換用治具の一実施の形態を用いたカッタ取外し手順を表す図である。
【図１１】本発明の自走式破砕機のカッタ交換用治具の一実施の形態を用いたカッタ取外し手順を表す図である。
【図１２】本発明の自走式破砕機のカッタ交換用治具の一実施の形態を用いたカッタ取外し手順を表す図である。
【図１３】本発明の自走式破砕機のカッタ交換用治具の一実施の形態を用いたカッタ取外し手順を表す図である。
【図１４】本発明の自走式破砕機のカッタ交換用治具の一実施の形態を用いたカッタ取外し手順を表す図である。
【図１５】本発明の自走式破砕機のカッタ交換用治具の一実施の形態を用いたカッタ取外し手順を表す図である。
【図１６】本発明の自走式破砕機のカッタ交換用治具の一実施の形態を用いたカッタ取外し手順を表す図である。
【図１７】本発明の自走式破砕機のカッタ交換用治具の一実施の形態を用いたカッタ取外し手順を表す図である。
【符号の説明】
１１      ホッパ
１２      破砕装置
１５      回転軸
１６      カッタ
１７      スペーサ
１８      回転体
２１      エンドブラケット
３３      懸架手段
３５      ガイドロッド（ガイド部材）
３６      スライダ（摺動部材）